【手続補正書】
【提出日】平成22年7月6日(2010.7.6)
【手続補正１】
【補正対象書類名】特許請求の範囲
【補正対象項目名】全文
【補正方法】変更
【補正の内容】
【特許請求の範囲】
【請求項１】
ホバリングおよびタッチイベントを別々に処理するデジタイザセンサ上でホバリングイベントを追跡するための方法であって、
デジタイザセンサの少なくとも１つのパラメータをホバリング追跡用に構成すること、但し、少なくとも１つのパラメータは、デジタイザセンサに結合された増幅器の利得係数およびデジタイザセンサに関連する回路によって送信される信号の振幅の少なくとも１つを含み、少なくとも１つのパラメータは、タッチ追跡用とは異なるように構成される、
デジタイザセンサの少なくとも一部にわたって入力信号の空間パターンを検出すること、但し、入力信号はデジタイザとのインタラクションに応答する信号である、および
検出された入力信号のパターンに応答する追跡点を画定すること
を含む方法。
【請求項２】
回路によって送信される信号は、デジタイザセンサの少なくとも一部に問合せを行なうために実行される信号である、請求項１に記載の方法。
【請求項３】
デジタイザセンサの少なくとも一部にわたって検出される入力信号の振幅を決定すること、および
所定の振幅閾値より高い振幅を有するデジタイザセンサの少なくとも一部にわたって入力信号の所定の数に応答して、デジタイザセンサの少なくとも１つのパラメータの構成をタッチ追跡用に切り替えること
を含む、請求項１または２に記載の方法。
【請求項４】
少なくとも１つのパラメータがタッチ追跡用に構成されている間に低信号イベントを検出すること、および
上下閾値の間と定義される低信号イベントの検出に応答して、少なくとも１つのパラメータの構成をホバリング追跡用に切り替えること
を含む、請求項１〜３のいずれかに記載の方法。
【請求項５】
デジタイザセンサの複数の導電線から入力信号を検出すること、但し、複数の導電線はデジタイザセンサの検出面積にわたって空間的に分布される、
入力信号が受信されるデジタイザセンサ上の領域にわたって入力信号の振幅勾配の空間パターンを決定すること、および
振幅勾配の空間パターンに応答して、前記領域でタッチまたはホバリングイベントのいずれかを決定すること
を含む、請求項１〜４のいずれかに記載の方法。
【請求項６】
入力信号が検出されるデジタイザセンサ上の領域の輪郭を決定すること、
輪郭の近傍の入力信号の信号振幅の空間勾配を決定すること、および
勾配閾値より上で領域からの入力信号がタッチ入力信号と決定され、かつ勾配閾値より下で領域からの入力信号がホバリング入力信号と決定される勾配閾値を定義すること
を含む、請求項１〜５のいずれかに記載の方法。
【請求項７】
少なくとも１つの勾配が勾配閾値に交差することに応答して、少なくとも１つのパラメータの構成を切り替えることを含む、請求項６に記載の方法。
【請求項８】
追跡点は、入力信号の振幅の空間パターンの質量中心であり、前記質量中心は、入力信号の振幅の空間パターンの加重平均と定義される、請求項１〜７のいずれかに記載の方法。
【請求項９】
デジタイザセンサ上のホバリングおよびタッチイベントを同時に追跡するための方法であって、
デジタイザセンサの第１部分をホバリング追跡用に構成すること、
デジタイザセンサの第２部分をタッチ追跡用に構成すること、但し、タッチ追跡用の構成はホバリング追跡用の構成とは異なり、前記構成はセンサに結合された増幅器の利得係数の構成およびデジタイザセンサに関連した回路によって送信される信号の振幅の構成の少なくとも１つを含む、および
デジタイザセンサの第１部分の少なくとも一部分およびデジタイザセンサの第２部分の少なくとも一部分を実質的に同時に追跡すること
を含む方法。
【請求項１０】
デジタイザセンサの１つまたはそれ以上の導電線上でタッチイベントを検出すること、および
１つまたはそれ以上の導電線をタッチ追跡用に構成すること
を含む、請求項９に記載の方法。
【請求項１１】
デジタイザセンサの複数の導電線から入力信号を検出すること、但し、入力信号はデジタイザとのインタラクションに応答する信号である、
入力信号が受信されるデジタイザセンサ上の領域にわたって入力信号の振幅勾配の空間パターンを決定すること、および
振幅勾配の空間パターンに応答して、前記領域でタッチまたはホバリングイベントのいずれかを決定すること
を含む、請求項９または１０に記載の方法。
【請求項１２】
入力信号が検出されるデジタイザセンサ上の領域の輪郭を決定すること、但し、入力信号はデジタイザとのインタラクションに応答する信号である、
輪郭の近傍で検出される入力信号の振幅勾配を決定すること、および
勾配閾値より上で領域からの入力信号がタッチ入力信号と決定され、かつ勾配閾値より下で領域からの入力信号がホバリング入力信号と決定される勾配閾値を定義すること
を含む、請求項９〜１１のいずれかに記載の方法。
【請求項１３】
第２部分のデジタイザセンサへの入力信号が所定の勾配閾値より低いという決定に応答して、デジタイザセンサの第２部分の少なくとも一部の構成をホバリング構成に切り替えることを含む、請求項９〜１２のいずれかに記載の方法。
【請求項１４】
所定のジェスチャを検出することを含み、所定のジェスチャは、実質的に同時に行なわれるタッチおよびホバリングジェスチャを含む、請求項９〜１３のいずれかに記載の方法。
【請求項１５】
デジタイザセンサ上で検出されるタッチ入力信号とホバリング入力信号とを区別するための方法であって、
デジタイザセンサから入力信号を検出すること、但し、入力信号はデジタイザとのインタラクションに応答する信号である、
デジタイザセンサの少なくとも一部にわたって入力信号の振幅および振幅の勾配を決定すること、および
振幅および勾配に基づいてタッチ入力信号とホバリング入力信号とを区別すること
を含む方法。
【請求項１６】
入力信号が検出されるデジタイザセンサ上の領域の輪郭を決定すること、および
輪郭の近傍の勾配を決定すること
を含む、請求項１５に記載の方法。
【請求項１７】
入力信号は、グリッド状に配設されたデジタイザセンサの複数の垂直および水平方向の導電線から検出され、輪郭は、入力信号を検出する複数の垂直および水平方向の導電線によって画定される矩形の輪郭である、請求項１６に記載の方法。
【請求項１８】
ホバリング入力信号が検出される領域の追跡点を定義することを含み、但し、追跡点は振幅の加重平均から定義される領域の質量中心である、請求項１５〜１７のいずれかに記載の方法。
【請求項１９】
ホバリング入力信号の特徴に基づいて、タッチ入力信号をユーザの意図する入力信号として特徴付けることを含む、請求項１５〜１８のいずれかに記載の方法。
【請求項２０】
デジタイザセンサの掌拒絶のための方法であって、
デジタイザセンサ上のホバリング領域およびタッチ領域を検出すること、
ホバリング領域とタッチ領域の相対的空間配置を決定すること、および
タッチイベントとホバリングイベントの間の相対的配置に基づいて、意図するユーザインタラクションイベントとしてタッチ領域を確認または拒絶すること
を含む方法。
【請求項２１】
ホバリングイベントおよび関連タッチイベントの質量中心を決定し、ホバリングと関連タッチイベントの間の質量中心の距離が所定の偏移閾値より高いことに応答して、関連タッチイベントを意図するユーザインタラクションとして確認することを含む、請求項２０に記載の方法。
【請求項２２】
ホバリング領域およびタッチ領域の面積を決定すること、
ホバリング領域がタッチ領域の片側に現われることを決定することに応答して、またはホバリング領域の面積が所定の面積より小さく、ホバリング領域がタッチ領域を実質的に取り囲むことを決定することに応答して、意図するユーザインタラクションイベントとしてタッチ領域を確認することを含む、請求項２０または２１に記載の方法。
【請求項２３】
デジタイザ上のホバリングおよびタッチを追跡するためのシステムであって、
ホバリングおよびタッチ入力信号を検出するように動作可能なデジタイザ、
タッチ用の所定のデジタイザ構成およびホバリング用の所定のデジタイザ構成を格納するように動作可能なメモリ、但し、タッチ用の構成はホバリング用の構成とは異なる、および
タッチ用の所定のデジタイザ構成を適用してタッチ入力信号を追跡し、かつホバリング用の所定のデジタイザ構成を適用してホバリング入力信号を追跡するように動作可能なコントローラ、但し、ホバリング用の所定のデジタイザ構成は増幅器の利得係数の構成およびシステムによって送信される信号の振幅の構成の少なくとも１つを含む
を備えたシステム。
【請求項２４】
コントローラは、デジタイザセンサへのホバリングとタッチ入力信号とを区別するように動作可能である、請求項２３に記載のシステム。
【請求項２５】
デジタイザは複数の導電線を含み、コントローラは、タッチ入力信号が検出される導電線にタッチ用の所定のデジタイザ構成を適用し、かつホバリング入力信号が検出される導電線にホバリング用の所定のデジタイザ構成を適用するように動作可能である、請求項２３または２４に記載のシステム。
【請求項２６】
コントローラは、ホバリング追跡とタッチ追跡とを切り替えるジェスチャを認識するように動作可能である、請求項２３〜２５のいずれかに記載のシステム。